(57)【要約】      （修正有）【課題】詰込まれた商品を輸送中に抜き取ったり、すり替えたりする等の偽装工作を不可能にし、開封されたときは判別できるようにした不正開封防止包装箱を提供する。【解決手段】蓋部、側壁部及び底部が連設された直方体状の包装箱２００Ａにおいて、蓋部は外蓋片１４、裏蓋片１２及び内蓋片によって三重に構成され、外蓋片１４には舌片１４１を設け、この舌片には左右に突片１４２、内側には略三角形状のジッパー片１４３を設け、一方、裏蓋片１２には略コの字状のスリット溝１２２が形成され、舌片１４１をスリット溝１２２に挿入することで、不正開封を防止することを特徴とする。【選択図】図２
2010285179.tif 000002
【特許請求の範囲】
【請求項１】
蓋部、側壁部及び底部が連設された直方体状の包装箱において、
前記蓋部は、上側から外蓋片、裏蓋片及び内蓋片によって三重に構成され、
前記外蓋片の前方辺に沿って外側には舌片を設け、
この舌片と左右の折り目を介して曲折された突片とによって略コの字状体が形成され、
かつ、前記前記外蓋片の前方辺に沿って内側には、
剥ぎ取り可能に略三角形状のジッパー片が設けられ、
一方、前記外蓋片と対面する裏蓋片の前方辺寄りに略コの字状の切れ目が形成され、
かつ、前記内蓋片の前方辺に沿って夫々傾斜した折り目を介して略台形状のフラップが左右に設けられ、
前記略コの字状体が前記略コの字状の切れ目に挿着されるとともに、
前記フラップに備える前記傾斜した折り目による反発力によって、
前記略コの字状体を形成する前記曲折された突片が左右に開脚されることを特徴とする不正開封防止包装箱。
【請求項２】
前記略台形状のフラップは前記内蓋片に折り目を介して設けられ、
この折り目は左右の前記側壁部の方へ傾斜して設けられることを特徴とする請求項１記載の不正開封防止包装箱。
【請求項３】
前記内蓋片は左右の前記側壁部から開閉するように観音扉状に構成され、
前記略台形状のフラップは左右の前記内蓋片に夫々設けられることを特徴とする請求項１叉は２記載の不正開封防止包装箱。
【請求項４】
前記内蓋片は前方の前記側壁部に沿って帯状に構成され、
前記略台形状のフラップは前記内蓋片に左右対組に設けられることを特徴とする請求項１叉は２記載の不正開封防止包装箱。
【発明の詳細な説明】
【技術分野】
【０００１】
本発明は、一旦商品を梱包して密封した後は箱を破らないと開封できない不正開封防止構造の包装箱に関する。詳しくは、包装箱の中に梱包した例えばプリンターのカートリッジの純正品を移送中に抜き取り、しかる後偽物とすり替えることができないようにした包装箱であって、もしこのようなことが行われた場合には、ジッパー切れ目をもうけることによってそのことを判明するようにした不正開封防止構造の包装箱に関する。
【背景技術】
【０００２】
従来、包装箱を開封して内部の商品に毒物を添加し、或いは傷を付ける等したのち、再び密封して正常な商品に混入させて、犯罪などの目的に利用されるのを防ぐために、不正開封防止包装箱が数多く提案されている。例えば、前壁片、右側壁片、後壁片、左壁片を折曲げ線を介して順次折り畳んで筒状体を構成し、前壁片の上下両端部にそれぞれ折畳み自在に連設した蓋板及び底板によって筒状体の上下開口部を閉塞できるように構成してなる公知の箱体において、箱本体の筒状部を構成する後壁片の上下両端部に、後壁片の内側に折込むための閉止用当接板をそれぞれ連設し、この閉止用当接板の折曲げ部には、蓋板及び底板の先端にそれぞれ連続するようにして形成した閉止用舌片を挿入させるための挿入孔を穿設するとともに、閉止用当接板の折込み時における内側（後壁片と接する側の面）に、蓋板及び底板の先端に連設した閉止用舌片の裏面を当接貼着せしめるように構成してなる開封防止機構を備えた包装箱である（特許文献１参照）。
【０００３】
他の例として、プリンターのカートリッジ用の不正開封防止包装箱について、従来から図１０に示すような包装箱が使用されている。この包装箱は蓋フラップにジッパー式の切れ目を備える切取り部（以下ジッパー片）を設けたもので、開封して内部のカートリッジを取り出す際にジッパー片を剥ぎ取るので純正メーカーの印刷を施した包装箱に傷がついて再使用ができなくなる。ところが、包装箱を開封する際にジッパー片を巧妙に引き出し、或いは稀にジッパー片を剥ぎ取らないでも開封することができ、次に、この剥ぎ取りの破れがない包装箱に偽物のカートリッジを詰め詰め治す流通に出すことができるのでカートリッジの偽物が横行する。以下に、図１０を参照しながら不正開封防止構造の包装箱の使用例を説明する。
【０００４】
図１０（ａ）では、包装箱の中にカートリッジを収容したあと、蓋を閉じる前の状態を示し、包装箱２０００を蓋側から見た斜視図で、箱の底部側は省略した。外蓋片１４が半開きの状態で、この裏側に裏蓋片１２が対面し、この周りを側壁片２２、２３が囲む。外蓋片１４の手前中央から外方へ略三角形状に開くジッパー片１４３備え、この左右にジッパー切れ目ａ、ａが刻まれている。ジッパー片１４３の手前側は外蓋片１４の手前の辺と同一線上に折り目Ｓを備え、更に手前延長上に舌片１４１とこの左右に折り目Ｔ、Ｔを介して突片１４２、１４２を備える。一方、裏蓋片１２の手前の辺に沿って中央に傾斜片１２１を備え、この根元に折り目Ｕと左右に切れ目ｂ、ｂを備える。また、この傾斜片１２１と側壁片２２の内壁の間に左右方向の細長い溝状のスリット溝１２２を備える。包装箱の不正開封防止は以上のような構成であって、包装箱２０００の蓋を閉じる際に、外蓋片１４の手前側の舌片１４１を折れ目Ｓの部位からジッパー片１４３に対して直角に折り曲げると同時に、舌片１４１の左右の突片１４２、１４２を折れ目Ｔ、Ｔの部位から折って裏面に重ねる。この状態を保ったまま、舌片１４１を裏蓋片１２のスリット溝１２２へ目がけて差し込む。この時、傾斜片１２１の左右は切れ目ｂ、ｂを備え、根元は折れ目Ｕを備えるので、傾斜片１２１は折れ目Ｕの部位から下方へ折れ傾斜する。従って、舌片１４１は左右の突片１４２、１４２を裏面に夫々折り畳んだ状態で、溝状のスリット溝１２２を貫通する。
【０００５】
舌片１４１をスリット溝１２２に挿着した状態を、包装箱２０００の内側から見た図１０（ｂ）に示す。ここで、蓋部は三重構造になっており、最外の外蓋片１４の内側に裏蓋片１２が重なり、更にこの内側に左右の内蓋片１１、１３が重なる。舌片１４１の左右の突片１４２、１４２は、スリット溝１２２を通り抜けると折り癖によって折れ目Ｔ、Ｔの部位から左右に開いて舌片１４１の裏面に対して起立する。この状態では、突片１４２、１４２の下辺が夫々左右の内蓋片１１、１３の面に開脚した状態となる。この結果、左右の突片１４２、１４２がストッパーの機能を有するので、舌片１４１は包装箱２０００の外側へ抜け出せなくなり、包装箱２０００を閉じた状態に保つ。この状態でカートリッジは包装箱の中に梱包され、流通に出回ることになる。
【０００６】
次に、顧客が包装箱を受取り、中のカートリッジを取り出す手順を説明する。通常ならこの状態では、裏蓋片１２の裏側において舌片１４１の左右の突片１４２、１４２が開脚してストッパーの役目をするので蓋が開かない。そこで、蓋部を開けるためには、ジッパー片１４３を裏蓋片１２に差し込んだまま孔１４４（図１０（ａ）を参照）に指を入れてジッパー切れ目ａ、ａの部位から破って、ジッパー片１４３を裏蓋片１２から切り離し、この状態が図１０（ｃ）に示す。次いで、裏蓋片１２を手前側に開き、更に内側の左右の内蓋片１１、１３を観音開きにして開ける。以上の手順によって、包装箱の中からカートリッジを取り出すことができる。
【０００７】
以上のように包装箱を開封する際、外蓋片１４のジッパー切れ目ａ、ａが破られるので、純正メーカーの印刷を施した包装箱２０００が傷ものになる。従って、中のカートリッジを取り出して、偽物或いは粗悪のカートリッジにすり替え、しかる後に純正メーカーの包装箱２０００を使用しても包装箱が傷ものなので偽装工作が不可能となる。
【０００８】
しかしながら、この従来の包装箱２０００ではジッパー片１４３を破ることなく蓋面部を開封する恐れがあり、純正メーカーの包装箱２０００中のカートリッジを偽物或いは粗悪品にすり替えて偽装工作を可能にする。即ち、ジッパー片１４３の左右の突片１４２、１４２の折れ戻り具合は段ボールの持つ特性任せなので、大半は折り癖によって戻り舌片１４１の裏面に対して起立する。しかしながら稀に舌片１４１の裏側に突片１４２、１４２が重なったままの状態を保つことがある。この場合に限ると、左右の突片１４２、１４２が重なったまま舌片１４１をスリット溝１２２から外に引き出して蓋を開封することができ、純正メーカーの包装箱２０００は傷が生じることがない。従って、純正品のカートリッジを抜き取った後、純正メーカーの印刷を施した包装箱２０００の中に偽物或いは粗悪のカートリッジを梱包して流通に流すことが可能となる。
【先行技術文献】
【特許文献】
【０００９】
【特許文献１】特公平３−２７４０号公報
【発明の概要】
【発明が解決しようとする課題】
【００１０】
以上の通りであって、特許文献１に代表されるように、従来の不正開封防止の包装箱には次のような問題点がある。
【００１１】
上記の特許文献１の発明は、壁片と糊代との貼付部分に、非常に困難であるが薄い刃物を入れて切離すと、上下端に連設された折込み片が単に差込まれただけなので、壁片が開いて不正開封防止にならない欠陥がある。
【００１２】
他に、折れ戻り具合は段ボールの有する特性任せなので、カートリッジの例のようにジッパー片を破ることなく、蓋を開けることができる場合が稀に生じる。このように、折れ戻りが段ボールの有する特性任せである従来のカートリッジ用の包装箱では包装箱の不正開封を完全に防止することは不可能である。従って、輸送の途中などで包装箱の蓋を開けて詰込まれた商品を抜き取り、或いは粗悪品と摩り替えて偽装工作をされる恐れがあり、その場合、包装箱に傷が生じないので不正開封が行われたことが判明し難いという問題がある。
【００１３】
そこで、本発明の不正開封防止包装箱は、従来のこのような問題点に着目してなされたもので、段ボール片に設けた折り目の折り癖による反発力を利用して、強制的に折れ戻り可能に舌片の構成を工夫したものであって、詰込まれた商品を輸送中に抜き取ったり、すり替えたりする等の偽装工作を不可能にし、もし不正に開封されたときはジッパー切れ目を設けることによって直ちにそれを判別できるようにした不正開封防止包装箱を提供することを目的とする。
【課題を解決するための手段】
【００１４】
上記目的を達成するために、請求項１の発明は、蓋部、側壁部及び底部が連設された直方体状の包装箱において、前記蓋部は、上側から外蓋片、裏蓋片及び内蓋片によって三重に構成され、前記外蓋片の前方辺に沿って外側には舌片を設け、この舌片と左右の折り目を介して曲折された突片とによって略コの字状体が形成され、かつ、前記前記外蓋片の前方辺に沿って内側には、剥ぎ取り可能に略三角形状のジッパー片が設けられ、一方、前記外蓋片と対面する裏蓋片の前方辺寄りに略コの字状の切れ目が形成され、かつ、前記内蓋片の前方辺に沿って夫々傾斜した折り目を介して略台形状のフラップが左右に設けられ、前記略コの字状体が前記略コの字状の切れ目に挿着されるとともに、前記フラップに備える前記傾斜した折り目による反発力によって、前記略コの字状体を形成する前記曲折された突片が左右に開脚されることを特徴とする不正開封防止包装箱である。請求項２の発明は、請求項１の発明の上記特徴に加えて、前記略台形状のフラップは前記内蓋片に折り目を介して設けられ、この折り目は左右の前記側壁部の方へ傾斜して設けられることを特徴とする不正開封防止包装箱である。請求項３の発明は、請求項１叉は２の発明の上記特徴に加えて、前記内蓋片は左右の前記側壁部から開閉するように観音扉状に構成され、前記略台形状のフラップは左右の前記内蓋片に夫々設けられることを特徴とする不正開封防止包装箱である。請求項４の発明は、請求項１叉は２の発明の上記特徴に加えて、前記内蓋片は前方の前記側壁部に沿って帯状に構成され、前記略台形状のフラップは前記内蓋片に左右対組に設けられることを特徴とする不正開封防止包装箱である。
【発明の効果】
【００１５】
本発明にかかわる包装箱によれば、一旦商品を梱包して密封した後はジッパーを
剥ぎ取らなければ開封できない。従って詰込まれた純正品を抜き取り、偽物或いは粗悪の品物にすり替えたりするには、ジッパー片を剥ぎ取らなければならないので、包装箱に傷が生じ不正開封が行われたことが瞬時に判明する。純正品に交じって偽物が流通するのを未然に防ぐことができ、偽物の流通を無くしたい生産者或いは需要家の要望を充足させることができる。
【図面の簡単な説明】
【００１６】
【図１】実施例１の不正開封防止用包装箱２００Ａの展開図で、段ボール１００Ａである。
【図２】同上、包装箱２００Ａの中に商品を収容した後、蓋を閉じる前の状態を示し、蓋側から見た斜視図である。
【図３】同上、外蓋の舌片を裏蓋のスリット溝に挿着した状態を示し、包装箱２００Ａの内側から見た斜視図である。
【図４】同上、ジッパー片を外蓋から剥ぎ取った状態を示し、包装箱２００Ａの蓋側から見た斜視図である。
【図５】実施例２の段ボールケース２００Ｂの展開図で、段ボール１００Ｂである。
【図６】同上、包装箱２００Ｂの中に商品を収容した後、裏蓋を閉じる前の状態を示し、蓋側から見た斜視図である。
【図７】同上、外蓋を閉じる前の状態を示し、蓋側から見た斜視図である。
【図８】同上、外蓋の舌片を裏蓋のスリット溝に挿着した状態を示し、包装箱２００Ｂの内側から見た斜視図である。
【図９】同上、ジッパー片を外蓋から剥ぎ取った状態を示し、包装箱２００Ｂの蓋側から見た斜視図である。
【図１０】従来例の不正開封防止用包装箱の使用状態を示す斜視図である。
【発明を実施するための形態】
【００１７】
本発明の実施の形態を、添付図面に例示した本発明の実施例に基づいて以下に具体的に説明する。
【実施例１】
【００１８】
先ず、本発明の実施例１ついて、図１〜図４を参照しながら説明する。本実施例１の包装箱はボトムロック形式と称し、隣同士の底面片が巴状に互いに絡み合って底が抜けないようにした箱である。図１は包装箱２００Ａの展開図で、段ボール１００Ａである。図２は、包装箱２００Ａの中に商品を収容した後、蓋を閉じる前の状態を示し、蓋側から見た斜視図である。図３は、外蓋の舌片を裏蓋のスリット溝に挿着した状態を示し、包装箱２００Ａの内側から見た斜視図である。図４は、ジッパー片を外蓋から剥ぎ取った状態を示し、包装箱２００Ａの蓋側から見た斜視図である。なお、これらの図において上下を上下方向と称し、左右を左右方向と称し、他の実施例についても同様である。
【００１９】
ほぼ矩形状をした段ボール１００Ａには、所定の箇所に複数の折り目を設けてあるので、それらの設け方について以下に説明する。図１に示すように、段ボール１００Ａは、左右方向の折り目に沿って、上下方向に蓋部１０、側壁部２０及び底部３０に三段に分割される。段ボール１００Ａの上下及び左右の方向については上記の通りとし、他の実施例についても同様である。図中の点線は折り目を示し、他の実施例についても同様である。上下方向に蓋部、側壁部及び底部に分割されるように、上段から下段へかけて、上段左右方向に折り目Ｆを断続して備え、その下方に左右方向平行に折り目Ｇを断続して夫々平行に備える。そして、二段目の側壁部２０には上記した折り目に対し直角の上下方向に左方から折り目Ｈ、折り目Ｊ、折り目Ｋを夫々平行に備える。一段目の蓋部１０は切れ目を介して左右に内蓋片１１、１２、１３及び１４に分割される。右端の外蓋片１４には、上辺中央部に折り目に沿ってジッパー片を設ける。上辺に沿って中央部に折り目Ｓを設け、この内側へ逆三角形状のジッパー片１４３を形成し、この三角形を形成する左右の二辺にジッパー切れ目ａ、ａを刻む。一方、折り目Ｓの外側へ舌片１４１を設け、この左右に折り目Ｔ、Ｔを介して突片１４２、１４２を備える。逆三角形状のジッパー片１４３の先端には孔１４４が開けられる。この外蓋片１４に対面する裏蓋片１２には、側壁部２０の境界の折り目Ｆに沿って裏蓋片１２側に凹むように切り目ｃを備え、この左右に切り目ｂ、ｂが夫々折り目Ｆと交わる。また、左端の内蓋片１１には、隣の裏蓋片１２側の切れ目に沿って上方寄りに略台形状のフラップ１１１を備える。このフラップ１１１の上辺は右方の切れ目から左下へ傾斜する折れ目Ｕからなり、かつ、フラップ１１１の左辺は切れ目ｄ、下辺は切れ目ｅから構成される。この内蓋片１１に対向する内蓋片１３にも左隣の裏蓋片１２側の切れ目に沿って上方寄りに同様に略台形状のフラップ１３１をフラップ１１１と対称に設ける。このフラップ１３１の上辺は左の切れ目から右下へ傾斜する折れ目Ｖからなり、かつ、フラップ１３１の右辺は切れ目ｄ、下辺は切れ目ｅから構成される。二段目の側壁部２０については、折り目を介して左右に側壁片２１、２２、２３及び２４に分割される。右端は折り目Ｚを介して貼着片２５を設ける。三段目の底部３０は切れ目を介して左右に底面片３１、３２、３３及び３４に分割され、夫々異形状に構成される。
【００２０】
段ボール１００Ａは以上の構成であり、以下に折り上げる手順について簡単に説明する。
【００２１】
先ず、側壁部２０から折り上げる。折り目Ｈ、Ｊ、Ｋの部位から、側壁面２１、２２、２３、２４を四角に囲むように折り曲げ、最後に糊代片２５を側壁面２１の内側先端部に糊付けすることにより側壁部２０の折り上げが完了する。次に、底部３０を上にして、隣同士の底面片が巴状に互いに絡み合うように折り上げる。最後に貼着片３２１、３４１を夫々糊づけすることによって、隣同士の底面片が巴状に絡み合うことと相俟って合底が抜けないボトムロック形式の底部が完成する。これで、包装箱の折り上げは一先ず終わり、後はカートリッジを中に収容する時に蓋を閉じる。その際、先ず、対向する内蓋片１１、１３を左右側壁部の両側から観音扉を閉じるように閉め、その上から裏蓋片１２を閉じ、最後にその上から外蓋片１４を閉じるので、蓋面は三重構造となる（後の図４参照）。不正開封防止のための舌片の挿着については後述する。なお、段ボールケース２００Ａの方向については、図４における蓋部１０と底部３０の方向を上下方向と称し、同図の手前、奥側を前後方向と称し、これと直角方向を左右方向と称し、他の実施例についても同様である。
【００２２】
以上のように一枚の段ボールから包装箱へと折り上げられ、次に図２、３及び図４を参照しながら不正開封防止のための舌片、ジッパー片等の作用について説明する。
【００２３】
図２に、包装箱２００Ａの中にカートリッジを収容したあと、蓋を閉じる前の状態を示し、包装箱２００Ａを蓋側から見た斜視図で、箱の底部側は省略した。外蓋片１４は半閉じの状態で、この裏側に裏蓋片１２が対面し、この周りを側壁片２２、２３他が囲む。外蓋片１４の中央手前から後方へ略三角形状のジッパー片１４３を備え、この左右にジッパー切れ目ａ、ａがギザギザ状に刻まれている。略三角形状のジッパー片１４３の底辺は外蓋片１４の手前の辺と同一線上にある折り目Ｓからなる。更にこの手前外側に略矩形状の舌片１４１とこの左右に折り目Ｔ、Ｔを介して突片１４２、１４２を備える。一方、裏蓋片１２の手前の辺に沿って中央に略矩形状の傾斜片１２１を備え、この左右に切れ目ｂ、ｂを備える。また、この傾斜片１２１と手前の側壁片２２との間に挟まれて左右方向に細長い溝状のスリット溝１２２が形成される。包装箱の不正開封防止については以上のような構成であって、包装箱２００Ａの蓋を閉じる際に、外蓋片１４の手前側の舌片１４１を折れ目Ｓの部位からジッパー片１４３に対して下方へ直角に折り曲げる。同時に、舌片１４１の左右の突片１４２、１４２を折れ目Ｔ、Ｔの部位から下方へ向けて夫々直角に折り曲げ、舌片１４１及び左右の突片１４２、１４２からなる略コの字状体を形成する。一方、裏蓋片１２の手前側には、この略コの字状体と対応する位置に切れ目ｃ及び左右の切れ目ｂ、ｂからなる同じ大きさの略コの字状の切れ目が形成され、更に切れ目ｃと側壁片２２の内周壁に挟まれるように細長いスリット溝１２２が形成されている。次いで、外蓋片１４の舌片１４１を左右の突片１４２、１４２とともに略コの字状体を保ったまま、裏蓋片１２側の同じ大きさの略コの字状の切れ目へ目がけて差し込む。この時、傾斜片１２１の左右は切れ目ｂ、ｂを備えるので、傾斜片１２１は手前下方へ傾斜する。また、裏蓋片１２の手前側は外蓋片１４の段ボール厚さと同等の溝幅のスリット溝１２２が形成されており、舌片１４１は左右の突片１４２、１４２とともに略コの字状体を保ったまま、スリット溝１２２及び左右の切れ目ｂ、ｂによって形成される略コの字状の切れ目を貫通する。
【００２４】
舌片１４１をスリット溝１２２に貫通させた状態を、包装箱２００Ａの内側から見た状態を図３に示す。ここで、蓋部は三重構造になっており、最外の外蓋片１４の内側に裏蓋片１２が重なり、更にこの内側に左右の内蓋片１１、１３が重なる。舌片１４１は左右の突片１４２、１４２とともに略コの字状体を保ったまま、スリット溝１２２及び左右の切れ目ｂ、ｂによって形成される略コの字状の切れ目を貫通すると同時に、舌片１４１の左右の突片１４２、１４２に押されるようにして内側に左右のフラップ１１１、１３１が起立する。ここで、一方のフラップ１１１は内蓋片１１の前方側壁片２２側の辺に沿って、左右側壁側へ傾斜した折り目Ｕを介して略台形状に形成されており、他方のフラップ１３１も同様に、内蓋片１３の側壁片２２側の辺に沿って、折り目Ｕを介して略台形状に形成されている。この状態でカートリッジは包装箱の中に梱包され、流通に出回ることになる。フラップ１１１、１３１が夫々折り目Ｕ、Ｕを介して起立し、これらのフラップ１１１、１３１は段ボールの折り癖によって左右の突片１４２、１４２を強制的に折れ戻して左右方向へ押し拡げる作用をする。従って、万が一でも突片１４２、１４２が舌片１４１へ折り重なるようなことが生じない。その結果、舌片１４１をスリット溝１２２の隙間から外へ抜き出すことは不可能である。これらのことを中の緩衝材料料を加えたフラップ１１１、１３１と突片１４２、１４２との作用関係について更に説明を加える。外蓋１４先端の舌片１４１における左右の突片１４２、１４２を略コの字状体に折り曲げた状態で、これを裏蓋片１２に設けた切れ目ｂ、スリット溝１２２及び切れ目ｂによって形成された略コの字状の切れ目へ目がけて差し込む。この時、左右の突片１４２、１４２は、裏蓋片１２の裏側に設けた左右の内蓋片１１、１３に備える左右の略台形状のフラップ１１１、１３１を押し下げる作用をする。その結果、裏蓋片１２が包装箱内部に詰め込まれた緩衝材料に部分的に接触しているため、内側が空間となっている左右のフラップ１１１、１３１は押し下げる力に負けて折り目Ｕ、Ｕの部位から内側へ折れ曲がる。このような過程を経ながら、舌片１４１と左右の突片１４２、１４２からなる略コの字状体が他方の略コの字状の切れ目を貫通すると同時に、左右のフラップ１１１、１３１は斜めに形成された折り目Ｕ、Ｕの左右外側方向の反発力を利用して、左右の突片１４２、１４２を強制的に折れ戻して左右方向に開脚する。以上の結果、左右の突片１４２、１４２の下辺が夫々内蓋片１１、１３の面上に開脚した状態となる。従って、裏蓋片１２の裏面側に左右の突片１４２、１４２が引っ掛かかって外蓋片１４が強制的に、しかも確実に係止されることになる。換言すれば、夫々突片１４２がストッパーの機能を有しするので、舌片１４１を包装箱２００Ａの外側へ抜け出すことができず、包装箱２００Ａを閉じた状態に保つ。
【００２５】
次に、顧客が包装箱を受取り、中のカートリッジを取り出す手順を説明する。通常ならこの状態では、裏蓋片１２の裏側において舌片１４１の左右の突片１４２、１４２が開脚してストッパーの役目をするので外蓋片１４が外側へ開かない。そこで、蓋部を開けるためには、ジッパー片１４３を裏蓋片１２に差し込んだまま孔１４４（図２を参照）に指を入れてジッパー切れ目ａ、ａの部位から破って、ジッパー片１４３を裏蓋片１２から切り離す他なく、この状態を図４に示す。次いで、裏蓋片１２を手前側に開き、更に内側の左右の内蓋片１１、１３を観音開きにして開ける。以上の手順によって、包装箱の中からカートリッジを取り出すことができる。
【００２６】
以上のように包装箱を開封する際、外蓋片１４のジッパー切れ目ａ、ａを破るので、純正メーカーの印刷を施した包装箱２００Ａが傷ものになる。従って、中のカートリッジを取り出して、偽物或いは粗悪のカートリッジにすり替え、しかる後に純正メーカーの包装箱２００Ａを使用しても包装箱が傷ものなので偽装工作が不可能となる。
【実施例２】
【００２７】
次に、本発明の実施例２ついて、図５〜図９を参照しながら説明する。本実施例２の包装箱は組立箱形式のものである。図５は、本実施例の段ボールケース２００Ｂの展開図で、段ボール１００Ｂである。図６は、包装箱２００Ｂの中に商品を収容した後、裏蓋を閉じる前の状態を示し、包装箱２００Ｂの蓋側から見た斜視図である。図７は、外蓋を閉じる前の状態を示し、包装箱２００Ｂの蓋側から見た斜視図である。図８は、外蓋の舌片を裏蓋のスリット溝に挿着した状態を示し、包装箱２００Ｂの内側から見た斜視図である。図９は、ジッパー片を外蓋から剥ぎ取った状態を示し、包装箱２００Ｂの蓋側から見た斜視図である。
【００２８】
本実施例の実施例１との主たる相違点は内蓋片の形状とこれに伴うフラップ形成箇所の他包装箱の形式であって、特に、フラップ形成の箇所が異なるところにある。
【００２９】
ほぼ矩形状をした段ボール１００Ｂには、所定の箇所に複数の折り目を設けてあるので、それらの設け方について以下に説明する。図５に示すように、段ボール１００Ｂは、左右方向の折り目に沿って、上下方向に蓋部４０、側壁部５０、蓋・底・側壁部６０、底部７０及び蓋部８０に五段に分割される。上下方向に蓋部、側壁部、蓋・底・側壁部、底部及び蓋部に分割されるように、上段から下段へかけて、上段中央左右方向に折り目Ｃを備え、折り目Ｌを中央部左右方向に備え、その下方に平行に折り目Ｍを中央部左右方向に、そして、折り目Ｄを夫々平行に備える。そして、上記した折り目に対し直角の上下方向に上下３段を貫通するように左方から折り目Ｐ、折り目Ｑを夫々平行に備える。なお、三段目には、折り目Ｐ、折り目Ｑの左右に夫々折り目Ｎ、折り目Ｒを備える。一段目の蓋部４０は折り目Ｃの上方に夫々略台形状の蓋片４１、４２を備える。右端の蓋片４２には、折れ目Ｃの延長線より略上方に略台形状のフラップ４２１、４２２を備える。これらの略台形状のフラップ４２１、４２２は対組に形成され、同じ形状で左右対称に位置し、傾斜する折れ目Ｕが対向し、かつ、それぞれ切れ目ｄ、ｅを備える。二段目の側壁部５０は折れ目を介して左右に内側壁片５１、外側壁片５２、内側壁片５３に分割される。内側壁片５１の左上端にはスリット５１１を備え、内側壁片５３の右下端にはスリット５３１を備える。次に、三段目の蓋・底・側壁部６０は折れ目を介して左右に外蓋片６１、外側壁片６２、底面片６３、外側壁片６４及び内蓋片６５に分割される。左端の外蓋片６１には、左辺中央部を跨がるようにジッパー部を設ける。左辺に沿って中央部に折り目Ｓを設け、この内側へ逆三角形状のジッパー片６１３を形成し、この三角形を形成する左右の二辺にジッパー切れ目ａ、ａを刻む。一方、折り目Ｓの外側へ舌片６１１を設け、この左右に折り目Ｔ、Ｔを介して突片６１２、６１２を備える。逆三角形状のジッパー片６１３の先端には孔６１４が開く。この外蓋片６１に対面する右端の裏蓋片６５には、側壁の境界の折り目Ｒに沿って裏蓋片６５側に凹むように切り目ｃ及びこの左右に切り目ｂ、ｂが夫々折り目Ｒから立ち上がる。四段目の側壁部７０は折れ目を介して左右に内側壁片７１１、外側壁片７２２、内側壁片７３に分割される。内側壁片７１の左上端にはスリット７１１を備え、内側壁片７３の右下端にはスリット７３１を備える。最後に、五段目の蓋部４０は折り目Ｄの下方に略台形状の内蓋片８１を備える。
【００３０】
段ボール１００Ｂは以上の構成であり、以下に折り上げる手順について説明する。
【００３１】
先ず、側壁部５０及び側壁部７０から折り曲げる。側壁部５０の外側壁片５２を折り目Ｌの部位から直立させ、次いで左右の内側壁片５１、５３を夫々折り目Ｐ、Ｑの部位から内側に直角にコの字状に折り曲げる。同様に、側壁部７０の外側壁片７２を折り目Ｍの部位から直立させ、次いで左右の内側壁片７１、７３を夫々折り目Ｐ、Ｑの部位から内側に直角にコの字状に折り曲げる。ここで、側壁部５０の略コの字状体に側壁部７０の略コの字状体を対向させ、底面片６３を底にした上開きの矩形状体が折り上がる。この時、側壁の左側において内側壁片５１のスリット５１１と内側壁片７１のスリット７１１とが絡み合い、一方、側壁の右側において内側壁片５３のスリット５３１と内側壁片７３のスリット７３１とが絡み合って、底面片６３を底にした上開きの矩形状体の側壁を直立状態に保つ。次に、外側壁片５２上折り目Ｃの部位から内蓋片４１を内側へ直角に折り曲げ、次いで、内側壁片５３上折り目Ｃの部位から内蓋片４２を内側へ直角に折り曲げ、最後に、外側壁片７２下折り目Ｄの部位から内蓋片８１を内側へ直角に折り曲げて、内蓋が完成して庇状に被さる（図６参照）。次に、図６に示すように、外側壁片６４は折り目Ｑの部位から直立し、内側壁片５３と内側壁片７３を外側から覆う。一方、外側壁片６２は折り目Ｐの部位から直立し、内側壁片５１と内側壁片７１を外側から覆う。このようにして、側壁部の折り上げが完了する。これで、包装箱の折り上げは一先ず終わり、後はカートリッジを中に収容する際に蓋を閉じる。その際、内蓋片４１、内蓋片４２及び内蓋片８１が夫々三方の側壁から内側へ直角に折り曲げられて、先ず側壁沿いに庇状の三辺からなる不連続の内蓋が形成されており、この上から裏蓋片６５を閉じ、最後にその上から外蓋片６１を閉じることによって、三重構造からなる蓋面が形成される。不正開封防止のための舌片の挿着については後述する。
【００３２】
以上のように一枚の段ボールから包装箱へと折り上げられ、次に図６、７、８及び図９を参照しながら不正開封防止のための舌片、ジッパー片等の作用について説明する。
【００３３】
図７に、包装箱２００Ｂの中にカートリッジを収容したあと、蓋を閉じる前の状態を示し、包装箱２００Ｂを蓋側から見た斜視図である。外蓋片６１は半閉じの状態で、この裏側に裏蓋片６５が対面し、この周りを外側壁片６４、７２他が囲む。外蓋片６１の手前中央から内側へ略三角形状のジッパー片６１３を備え、この左右にジッパー切れ目ａ、ａがギザギザ状に刻まれている。略三角形状のジッパー片６１３の底辺は外蓋片６１の手前の辺と同一線上に折り目Ｓからなる。更に手前外側に舌片６１１とこの左右に折り目Ｔ、Ｔを介して突片６１２、６１２を備える。一方、裏蓋片６５の手前の辺に沿って中央に傾斜片６５１を備え、この左右に切れ目ｂ、ｂを備える。また、この傾斜片６５１と手前の側壁片６４との間に挟まれて左右方向の細長いスリット溝６５２が形成される。包装箱の不正開封防止については以上のような構成であって、包装箱２００Ｂの蓋を閉じる際に、外蓋片６１の手前側の舌片６１１を折れ目Ｓの部位からジッパー片６１３に対して直角に折り曲げる。同時に、舌片６１１の左右の突片６１２、６１２を折れ目Ｔ、Ｔの部位から下方へ直角に折り曲げて、舌片６１１及び左右の突片６１２、６１２からなる略コの字状体を形成する。一方、裏蓋片６５の手前側には切れ目ｃ及び左右の切れ目ｂ、ｂによって形成される略コの字状の切れ目によって傾斜片６５１が形成される。更に、切れ目ｃと側壁片２２の内周壁に挟まれるように細長い溝状のスリット溝６５２が形成されている。次いで、外蓋片６１の舌片６１１を左右の突片６１２、６１２とともに略コの字状体を保ったまま、これに対応する位置にある裏蓋片６５側の同じ大きさの略コの字状の切れ目へ目がけて差し込む。この時、傾斜片６５１の左右は切れ目ｂ、ｂを備えるので、傾斜片６５１は手前下方へ傾斜する。裏蓋片６５の手前側は外蓋片６５の段ボール厚さと同等の溝幅のスリット溝６５２が形成されているので、舌片６１１は左右の突片６１２、６１２とともに略コの字状体を保ったままスリット溝６５２を抜けながら傾斜片６５１を押し下げるようにして左右の切れ目ｂ、ｂを貫通する。
【００３４】
舌片６１１をスリット溝６５２に貫通させた状態を、包装箱２００Ｂの内側から見た斜視図として図８に示す。ここで、蓋部は三重構造になっており、最外の外蓋片６１の内側に裏蓋片６５が重なり、側壁沿いの庇状の内蓋片４１、内蓋片４２及び内蓋片８１からなる不連続の内蓋部が重なる。舌片６１１がスリット溝６５２を貫通すると同時に、舌片６１１の左右の突片６１２、６１２が傾斜片６５１を押し下げ、更に左右の突片６１２、６１２に押されるようにして夫々フラップ４２１、４２２が起立する。ここで、一方のフラップ４２１は内蓋片４２の折り目Ｃに沿って、折り目Ｕを介して略台形状に形成される。他方のフラップ４２２も同様に内蓋片４２の折り目Ｃに沿って、折り目Ｕを介して略台形状に形成される（図６参照）。このように、側壁部に沿った帯状の内蓋片４２の上に、フラップ４２１、４２２が同じ形状でかつ、対称に対組に形成されている。このフラップ４２１、４２２が起立した状態では、左右の突片６１２、６１２の下辺が夫々内蓋片４２の面上に開脚した状態となる。この結果、夫々の突片６１２、６１２がストッパーの機能を有するので、舌片６１１は包装箱２００Ｂの外側へ抜け出せなくなり、包装箱２００Ｂを閉じた状態に保つ。この状態でカートリッジは包装箱の中に梱包され、流通に出回ることになる。この状態では、左右のフラップ４２１、４２２が折り目Ｕ、Ｕを介して夫々起立し、これらのフラップ４２１、４２２に設けた折り目の折り癖による反発力を利用して左右の突片６１２、６１２を折れ戻し、強制的に押し拡げる作用をする。従って、万が一でも突片６１２、６１２が舌片６１１へ折り重なるようなことが生じない。その結果、舌片６１１をスリット溝６５２の隙間から外へ抜き出すことは不可能である。これらのことを中の緩衝材料料を加えたフラップ４２１、４２２と突片６１２、６１２との作用関係について更に説明を加える。外蓋６１先端の舌片６１１における左右の突片６１２、６１２を略コの字状体に折り曲げた状態で、これを裏蓋片６５に設けた切れ目ｂ、切れ目ｃ及び切れ目ｂによって形成された略コの字状の切れ目へ目がけて差し込む。この時、左右の突片６１２、６１２は、中の内蓋片４２に設けた左右の略台形状のフラップ４２１、４２２を押し下げる作用をする。その結果、裏蓋片６５が包装箱内部に詰め込まれた緩衝材料に部分的に接触していること及び、実施例１と異なり左右のフラップ４２１、４２２が帯状の内蓋片４２の左右で帯状に連結しているために、中側が空間状態の左右のフラップ４２１、４２２は押し下げる力に負けて折り目Ｕ、Ｕの部位から内側へ折れ曲がる。このような過程を経ながら、左右の突片６１２、６１２からなる略コの字状体が他方の略コの字状の切れ目を貫通すると同時に、左右のフラップ４２１、４２２は斜めに設けた折り目Ｕ、Ｕの折り癖による反発力を利用して、左右の突片６１２、６１２折れ戻し、強制的に左右外側方向に開脚する。以上の結果、左右の突片６１２、６１２が夫々内蓋片４１の面上に開脚した状態となる。従って、裏蓋片６５の裏面側に左右の突片６１２、６１２が引っ掛かって外蓋片６１が強制的に、しかも確実に係止されることになる。換言すれば、夫々突片６１２がストッパーの機能を有しするので、舌片６１１を包装箱２００Ｂの外側へ抜け出すことができず、包装箱２００Ｂを閉じた状態に保つ。その他に、左右の略台形状フラップ４２１、４２２を備える内蓋片４２はその外側にある裏蓋片６５と折り目の線が同一線上なるため、実施例1の左右に分割されたフラップ１１１、１３１のように個別に折り曲げ作業を必要とせず、裏蓋片６５を折り曲げる動作と連動して外蓋片６１を閉じる作業をすることができる。
【００３５】
次に、顧客が包装箱を受取り、中のカートリッジを取り出す手順を説明する。通常ならこの状態では、裏蓋片１２の裏側において舌片６１１の左右の突片６１２、６１２が開脚してストッパーの役目をするので蓋が開かない。そこで、蓋部を開けるためには、ジッパー片６１３を裏蓋片６５に差し込んだまま孔６１４（図７を参照）に指を入れてジッパー切れ目ａ、ａの部位から破って、ジッパー片６１３を裏蓋片６５から切り離し、この状態を図９に示す。次いで、裏蓋片６５を手前側に開ける。以上の手順によって、包装箱の中からカートリッジを取り出すことができる。
【００３６】
以上のように包装箱を開封する際、外蓋片６５のジッパー切れ目ａ、ａを破るので、純正メーカーの印刷を施した包装箱２００Ｂが傷ものになる。従って、中のカートリッジを取り出して、偽物或いは粗悪のカートリッジにすり替え、しかる後に純正メーカーの包装箱２００Ｂを使用しても包装箱が傷ものなので偽装工作が不可能となる。
【産業上の利用可能性】
【００３７】
なお、本発明の使途は実施例に示したカートリッジの不正開封防止の他に、食品、薬品等を収容する包装箱に好適である。この場合、内部に収容された食品、薬品に有害物を注入する等の細工を施されるような危険を防止するために有効である。
【符号の説明】
【００３８】
１００Ａ、１００Ｂ  段ボール
２００Ａ、２００Ｂ、２０００  包装箱
１０  蓋部
１１  内蓋片、１２  裏蓋片、１３  内蓋片、１４  外蓋片
１１１  フラップ
１２１  傾斜片、１２２  スリット溝
１３１  フラップ
１４１  舌片、１４２  突片、１４３  ジッパー片、１４４  孔
２０  側壁部
２１、２２、２３、２４  側壁片、２５  貼着片
３０  底部
３１、３２、３３、３４  底面片
３２１  貼着片、３４１  貼着片
４０  蓋部
４１、４２  内蓋片
４２１、４２２  フラップ
５０  側壁部
５１  内側壁片、５２  外側壁片、５３  内側壁片
６０  蓋・底・側壁部
６１  外蓋片、６２  外側壁片、６３  底面片、６４  外側壁片、６５  裏蓋片
６１１  舌片、６１２  突片、６１３  ジッパー片、６１４  孔
６５１  傾斜片、６５２  スリット溝
７０  側壁部
７１  内側壁片、７２  外側壁片、７３  内側壁片
８０  蓋部、８１  内蓋片
Ｃ、Ｄ、Ｆ、Ｇ、Ｈ、Ｊ、Ｋ、Ｌ、Ｍ、Ｎ、Ｐ、Ｑ、Ｒ、Ｓ、Ｔ、Ｕ  折り目
ａ  ジッパー切れ目
ｂ、ｃ、ｄ、ｅ  切れ目
【図１】
2010285179.tif 000003
【図２】
2010285179.tif 000004
【図３】
2010285179.tif 000005
【図４】
2010285179.tif 000006
【図５】
2010285179.tif 000007
【図６】
2010285179.tif 000008
【図７】
2010285179.tif 000009
【図８】
2010285179.tif 000010
【図９】
2010285179.tif 000011
【図１０】
2010285179.tif 000012